(57)【要約】【課題】既設屋外鉄構の高所補修工事において、作業者の足元を安定させ、けれん塵・塗料や作業工具、ボルトナットを地上に落下させない。【解決手段】作業者が昇降する梯子部１と、梯子部１上端の背面Ｒ側に突設されていて鉄構主材に引っ掛けられる左右のフック部２と、梯子部１下端の正面Ｆ側に突設されていて作業者が載る主足場部３と、梯子部１下部の背面Ｒ側に起き上がり自在に突設されていて作業者が載る補助足場部４と、補助足場部４の下部に固定されていて塗料等の落下を防止する落下防止シート部５とからなる。【選択図】  図１
2004150146.tif 000002
【特許請求の範囲】
【請求項１】
作業者が昇降する梯子部と、該梯子部上端の背面側に突設されていて鉄構主材に引っ掛けられる左右のフック部と、前記梯子部下端の正面側に突設されていて作業者が載る主足場部と、前記梯子部下部の背面側に突設されていて作業者が載る補助足場部と、該補助足場部の下部に固定されていて塗料等の落下を防止する落下防止シート部とからなる鉄構補修工事用移動吊り掛け足場
【請求項２】
梯子部の下部の足踏み桟の一端が梯子部の支柱に枢着されているとともに、他端が梯子部の他の支柱に係着されている請求項１記載の鉄構補修工事用移動吊り掛け足場
【請求項３】
梯子部の上部に、梯子部上端の正面側に突設されたプレートに一端が固定されているとともに、他端が該のプレートに着脱自在に固定されていて、中間部が鉄構主材に巻き付けられる外れ防止ワイヤが左右に設けられている請求項１または請求項２記載の鉄構補修工事用移動吊り掛け足場
【請求項４】
梯子部の中間部に、一端が下部の鉄構主材に引っ掛けられるとともに他端が長円孔を介してボルトナットにより梯子部の支柱に固定される、略Ｌ字状の梯子部振れ止めプレートが左右に設けられている請求項１ないし請求項３のいずれかに記載の鉄構補修工事用移動吊り掛け足場
【請求項５】
主足場部は、梯子部の支柱に固定された左右の補強結合プレートと、該左右の補強結合プレートに固定された左右の足場アームと、該左右の足場アームに架設された足場板とからなる請求項１ないし請求項４のいずれかに記載の鉄構補修工事用移動吊り掛け足場
【請求項６】
補助足場部は、固定されて構成されている請求項１ないし請求項５のいずれかに記載の鉄構補修工事用移動吊り掛け足場
【請求項７】
補助足場部は、一端が梯子部の支柱に固定された左右の補強結合プレートの上部に固定されている左右のステーと、該ステーの他端が一端部に固定されている左右の補助足場アームと、該左右の補助足場アームの先端に架設された流れ止め桟と、前記左右の補助足場アームに架設された補助足場板とからなる請求項６記載の鉄構補修工事用移動吊り掛け足場
【請求項８】
補助足場部は、起き上がり自在に構成されている請求項１ないし請求項５のいずれかに記載の鉄構補修工事用移動吊り掛け足場
【請求項９】
補助足場部は、一端が梯子部の支柱に固定された左右の補強結合プレートの上部に枢着されているとともに、中間部が正面、背面側に折り曲げ自在に構成されている左右のステーと、該ステーの他端が一端部に枢着されている左右の補助足場アームと、該左右の補助足場アームの先端に架設された流れ止め桟と、前記左右の補助足場アームに架設された補助足場板とからなる請求項８記載の鉄構補修工事用移動吊り掛け足場
【請求項１０】
落下防止シート部は、固定されて構成されている請求項１ないし請求項９のいずれかに記載の鉄構補修工事用移動吊り掛け足場
【請求項１１】
落下防止シート部は、補助足場部の左右の補助足場アームの両端に固定された、該補助足場アームと直交する４本のシート取付用アームと、該４本のシート取付用アームの間に架設された４本のシート取付用アーム結合棒と、前記シート取付用アーム及び前記シート取付用アーム結合棒に展着された落下防止シートとからなる請求項１０記載の鉄構補修工事用移動吊り掛け足場
【請求項１２】
落下防止シート部は、折り畳み自在に構成されている請求項１ないし請求項９のいずれかに記載の鉄構補修工事用移動吊り掛け足場
【請求項１３】
落下防止シート部は、補助足場部の左右の補助足場アームの両端に蝶着された、該補助足場アームと直交する４本のシート取付用アームと、該４本のシート取付用アームの間に架設された４本のシート取付用アーム結合棒と、前記左右の補助足場アームの中間部に突設されていて前記２本のシート取付用アーム結合棒を保持する保持具と、前記シート取付用アーム及び前記シート取付用アーム結合棒に展着された落下防止シートとからなる請求項１２記載の鉄構補修工事用移動吊り掛け足場
【請求項１４】
シート取付用アームの取付端が略くさび状に切り欠かれていて、該シート取付用アームが上向きに傾斜して保持されている請求項１１または請求項１３記載の鉄構補修工事用移動吊り掛け足場
【発明の詳細な説明】
【０００１】
【発明が属する技術分野】
この発明は、発変電所の屋外鉄構を塗装する場合などに使用する鉄構補修工事用移動吊り掛け足場に関するものである。
【０００２】
【従来の技術】
発変電所の機器架台や屋外鉄構は、防錆のため、亜鉛めっき処理がなされている。しかし、経年変化や周囲環境条件により、発錆する場合がある。この場合、塗装工事やボルトナット取替工事が行われている。この場合、高さの低い機器架台は、地上から足場を組んだりして塗装工事やボルトナット取替工事を行うことができるが、高さの高いポストやビームなどの屋外鉄構の場合は、機器の配置上、安全上、費用上、工期上から、地上から足場を組んだりすることは不可能である。そのため、従来は、ポストを昇降し、ビームを横に移動して、ポスト水平材やビーム主材を足場とし、胴綱で落下を防止しつつ、塗装工事やボルトナット取替工事が行われている。
【０００３】
記載すべき先行技術文献情報はない。上記の従来技術は、多くの発変電所において実施されているものであるからである。
【０００４】
【発明が解決しようとする課題】
しかしながら、この従来技術では、作業者は、足元不安定で作業をしなければならず、かつ、けれん塵・塗料や作業工具、ボルトナットを地上に落下させる危険がある。このため、この従来技術においては、作業者に極度の緊張を強いているとともに、万が一、これらを落下させて場合、回収作業を必要とし、または、機器に損傷を与える危険があるという課題がある。
【０００５】
この発明は、このような従来技術の課題を解決する目的でなされたものである。
【０００６】
【課題を解決するための手段】
上記課題を解決するための手段を、実施の一形態に対応する図１を用いて以下、説明する。この発明は、作業者が昇降する梯子部１と、梯子部１上端の背面Ｒ側に突設されていて鉄構主材に引っ掛けられる左右のフック部２と、梯子部１下端の正面Ｆ側に突設されていて作業者が載る主足場部３と、梯子部１下部の背面Ｒ側に起き上がり自在に突設されていて作業者が載る補助足場部４と、補助足場部４の下部に固定されていて塗料等の落下を防止する落下防止シート部５とからなるものである。
【０００７】
このように構成されたものにおいては、作業者の足元は安定し、けれん塵・塗料や作業工具、ボルトナットは地上に落下しない。
【０００８】
【発明の実施の形態】
図１は、この発明の実施の一形態を示す構成図である。図１において、１は梯子部、２はフック部、３は足場部、４は補助足場部、５は落下防止シート部である。
【０００９】
梯子部１は、左右の支柱１１と、左右の支柱１１の上端に架設、固定された補強プレート１２と、左右の支柱１１の上部に架設された固定の２本の足踏み桟１３と、左右の支柱１１の下部に架設された回動自在の２本の足踏み桟１４とから構成されている。足踏み桟１４は、一端が一方の支柱１１にボルトナットで枢着されているとともに、他端が他方の支柱１１に装着されたボルトナットに足踏み桟１４に形成された切欠部１４Ａを介して係着されている（図２参照）。足踏み桟１４を持ち上げて回転させると、主足場部３から補助足場部４への移動が容易になる。
【００１０】
支柱１１、足踏み桟１３、足踏み桟１４は、アングルで、材質はポリエステルＦＲＰである。また、補強プレート１２は、材質がエポキシＦＲＰである。
【００１１】
左右のフック部２は、梯子部１上端の背面Ｒ側に突設されていて鉄構主材に引っ掛けられる。フック部２は、略コの字状をなすプレートで、対向する一片が支柱１１の側面に固定されている。左右のフック部２を鉄構主材に引っ掛けると、対向する一片及ぶ連結片は鉄構主材に接触して梯子部１を支持し、対向する他片が梯子部１の離脱を防止する（図２参照）。フック部２は、材質がエポキシＦＲＰである。
【００１２】
梯子部１上端の正面Ｆ側に左右のワイヤ取付プレート１５が突設され、左右の支柱１１の側面に固定されている。ワイヤ取付プレート１５には、縦長の孔１５Ａが設けられている。ワイヤ取付プレート１５は、材質がＳＳ４００である。
【００１３】
ワイヤ取付プレート１５には、縦長の孔１５Ａを利用してカラビナ、シャックル１６Ａなどにより外れ防止ワイヤ１６の一端が固定されているとともに、フック１６Ｂなどにより外れ防止ワイヤ１６の他端が着脱自在に固定されている。左右のフック部２を鉄構主材に引っ掛けたとき、外れ防止ワイヤ１６の他端をワイヤ取付プレート１５から外し、その中間部を鉄構主材にぐるぐる巻き付け、その他端をワイヤ取付プレート１５に固定すると、梯子部１の離脱をさらに防止することができる（図２参照）。ワイヤ取付プレート１５に縦長の孔１５Ａが設けられていることによって、ワイヤ取付プレート１５を作業者が昇降する際、取っ手として利用できる。
【００１４】
梯子部１の中間部には、一端が下部の鉄構主材に引っ掛けられるとともに他端が長円孔（図示せず）介してボルトナット１７（蝶ボルトのみを図示）により梯子部１の支柱１１に固定される、略Ｌ字状の梯子部振れ止めプレート１８が左右に設けられている（図２参照）。
【００１５】
主足場部３は、梯子部１下端の正面Ｆ側に突設されていて、梯子部１の支柱１１に固定された左右の補強結合プレート３１と、左右の補強結合プレート３１に固定された左右の足場アーム３２と、左右の足場アームに架設された足場板３３とから構成されている（図３参照）。補強結合プレート３１は、材質がエポキシＦＲＰ、足場アーム３２は、アングルで、材質がポリエステルＦＲＰである。
【００１６】
補助足場部４は、一端が梯子部１の支柱１１に固定された左右の補強結合プレート３１の上部に枢着されているとともに、中間部が正面Ｆ、背面Ｒ側に起き上がり自在（折り曲げ自在）に構成されている左右のステー４１と、ステー４１の他端が一端部に枢着されている左右の補助足場アーム４２と、左右の補助足場アーム４２の先端に架設された流れ止め桟４３と、左右の補助足場アーム４２に架設された補助足場板４４とから構成されている（図３参照）。
【００１７】
ステー４１は、上部のステー４１Ａと下部のステー４１Ｂとから構成されている。上部のステー４１Ａの上部は、ボルトナット４５、平ワッシャ４６、フランジブッシュ４７、Ｕナット４８により枢着されている。上部のステー４１Ａの下部と下部のステー４１Ｂの上部は、ヒンジピン４９、Ｕナット４８、オイレスブッシュ５０、フランジブッシュ４７、平ワッシャ４６により枢着されている（図４参照）。下部のステー４１Ｂの下部は、結合ボルト５０１、Ｕナット４８、平ワッシャ４６、オイレスブッシュ５０、カラー５０２、フランジブッシュ４７により枢着されている（図５参照）。
【００１８】
ステー４１は、材質がエポキシＦＲＰである。補助足場アーム４２、流れ止め桟４３は、アングルで、材質がポリエステルＦＲＰである。
【００１９】
落下防止シート部５は、補助足場部４の左右の補助足場アーム４２の両端に蝶着された、補助足場アーム４２と直交する４本のシート取付用アーム５１と、４本のシート取付用アーム５１の間に架設された４本のシート取付用アーム結合棒５２と、左右の補助足場アーム４２に中間部に突設されていて２本のシート取付用アーム結合棒５２を保持する保持具５３と、シート取付用アーム５１及びシート取付用アーム結合棒５２に展着された１枚の落下防止シート５４とから構成されている（図６参照）。
【００２０】
蝶番５５は、補助足場アーム４２の下面に固定されているとともに、シート取付用アーム取付板５６を介してシート取付用アーム５１に固定されている（図４参照）。シート取付用アーム５１の取付端は、略くさび状に切り欠かれていて、シート取付用アーム５１が上向に傾斜して補助足場アーム４２に接触してシート取付用アーム結合棒５２を介して保持具５３によって保持される（図４参照）。
【００２１】
シート取付用アーム５１は、アングルで、材質がポリエステルＦＲＰである。シート取付用アーム結合棒５２は、丸棒で、材質がポリエステルＦＲＰである。
【００２２】
シート取付用アーム５１を上向に傾斜させて保持し、シート取付用アーム５１及び流れ止め桟４３をアングルで構成することによって、作業道具などが落下防止シート５４から滑り落ちることはない。
【００２３】
保持具５３は、フック５３Ａ、ヒンジピン５３Ｂ、スプリング５３Ｃ、突き当て板５３Ｄ、ヒンジ軸受５３Ｅから構成されている（図７参照）。フック５３Ａの上端を外側に押すと、フック５３Ａが回転し、シート取付用アーム結合棒５２の保持が解かれる。シート取付用アーム５１はフリーとなって、シート取付用アーム５１を約１８０度させることができる。これによって落下防止シート５４は折り畳まれる。
【００２４】
鉄構補修工事用移動吊り掛け足場を使用しないときは、落下防止シート５４は折り畳まれていて、かつ、背面Ｒ側に突設された補助足場部４は、正面側に約９０度起き上がっている（図８参照）。この状態は、図示しないロープなどで縛って保持される。かかる状態で、保管、運搬される。したがって、多くの場所を要しない。
【００２５】
使用するときは、梯子部１を吊るした状態で、補助足場部４の保持を解き、補助足場部４を回転させて（図９参照）、水平にする（図１０参照）。次に、左右のシート取付用アーム５１を回転させる（図１１参照）。さらに、左右のシート取付用アーム５１を回転させて、フック５３Ａでシート取付用アーム結合棒５２を保持する（図１、４、７参照）。なお、梯子部１を地上に置いた状態では、左右のシート取付用アーム５１を回転させて、フック５３Ａでシート取付用アーム結合棒５２を保持した後に、補助足場部４を回転させて水平にする。
【００２６】
次に、ロープなどで梯子部１を吊るし上げ、左右のフック部２を上部の鉄構主材に引っ掛ける。そして、外れ防止ワイヤ１６の他端をワイヤ取付プレート１５から外し、その中間部を鉄構主材にぐるぐる巻き付け、その他端をワイヤ取付プレート１５に固定する。さらに、梯子部振れ止めプレート１８を下部の鉄構主材に引っ掛け、固定する（図２参照）。
【００２７】
その後、作業者は、主足場部３に降りてゆき、補助足場部４を利用しないで、または補助足場部４を利用しながら（例えば、膝を補助足場板４４に置いて）落下防止シート５４の上空範囲内の作業を行う。主足場部３から補助足場部４への移動は、足踏み桟１４を持ち上げて回転させて行う（図２参照）。それゆえ、作業者の足元は安定し、けれん塵・塗料や作業工具、ボルトナットは地上に落下しない。
【００２８】
梯子部１の移動は、外れ防止ワイヤ１６及び梯子部振れ止めプレート１８の固定を弛めて行う。
【００２９】
なお、以上は、補助足場部４は、ステー４１により起き上がり自在に、落下防止シート５４は、蝶番５５により折り畳み自在に構成されている場合であるが、起き上がり自在に構成しないときは、ステーを１本で構成し、その両端を固定し、折り畳み自在に構成しないときは、シート取付用アーム５１を取付プレートを介して補助足場アーム４２に固定すればよい。この場合でも、作業者の足元は安定し、けれん塵・塗料や作業工具、ボルトナットは地上に落下しない。
【００３０】
【発明の効果】
以上説明してきたように、この発明は、補助足場部と作業者が昇降する梯子部と、該梯子部上端の背面側に突設されていて鉄構主材に引っ掛けられる左右のフック部と、前記梯子部下端の正面側に突設されていて作業者が載る主足場部と、前記梯子部下部の背面側に起き上がり自在に突設されていて作業者が載る補助足場部と、該補助足場部の下部に固定されていて塗料等の落下を防止する落下防止シート部とからなるものである。それゆえ、作業者の足元は安定し、けれん塵・塗料や作業工具、ボルトナットは地上に落下しない。したがって、この発明によれば、作業者の緊張は緩和されるとともに、回収作業を要せず、機器損傷の危険はないという効果が得られる。
【図面の簡単な説明】
【図１】この発明の実施の一形態を示す、使用状態における斜視図である。
【図２】この発明に係るものを屋外鉄構（ビーム）に取り付けた状態の斜視図である。
【図３】この発明の実施の一形態を示す平面図である。
【図４】この発明の実施の一形態を示す、一部省略の背面図である。
【図５】この発明を構成する補助足場部のステーの下部の枢着状態を示す拡大図である。
【図６】この発明の実施の一形態を示す、一部省略の右側面図である。
【図７】この発明を構成する落下防止シート部の保持具の詳細斜視図である。
【図８】この発明の実施の一形態を示す、保管、運搬時の斜視図である。
【図９】この発明の実施の一形態を示す、補助足場部を回転させている時の斜視図である。
【図１０】この発明の実施の一形態を示す、補助足場部の回転完了時の斜視図である。
【図１１】この発明の実施の一形態を示す、落下防止シート部を回転させている時の斜視図である。
【符号の説明】
１  梯子部
２  フック部
３  足場部
４  補助足場部
５  落下防止シート部
【図１】
2004150146.tif 000003
【図２】
2004150146.tif 000004
【図３】
2004150146.tif 000005
【図４】
2004150146.tif 000006
【図５】
2004150146.tif 000007
【図６】
2004150146.tif 000008
【図７】
2004150146.tif 000009
【図８】
2004150146.tif 000010
【図９】
2004150146.tif 000011
【図１０】
2004150146.tif 000012
【図１１】
2004150146.tif 000013